(57)【要約】【課題】商品収納庫の前面を閉塞する断熱扉を軸支するヒンジやロック装置を簡易なものにしてコストを安くし、さらに断熱扉開閉の操作性を向上させる。【解決手段】本体１内に備えられた商品収納庫２と、商品収納庫２内の商品を外方に搬出する商品搬出口１７を有し商品収納庫２の前面を閉塞する断熱扉４と、本体１に断熱扉４を枢支するヒンジ部２１と、断熱扉４を閉塞位置で係止するロック装置２５とを備えた自動販売機において、ロック装置２５は、断熱扉４を商品収納庫２の前面に押圧して係止する係止手段２６ｂ、２８ｂとともに断熱扉の上下方向の位置を規制する規制手段２６ａ、２８ｃを備える。【選択図】　　　図５
2004127041.tif 000002
【特許請求の範囲】
【請求項１】
本体内に備えられ前面を開口した商品収納庫と、前記商品収納庫内の商品を外方に搬出する商品搬出口を有し前記商品収納庫の前面を閉塞する断熱扉と、前記断熱扉の一方側に備えられ前記本体に前記断熱扉を枢支するヒンジ部と、前記断熱扉の他方側に備えられ前記断熱扉を前記閉塞位置で係止するロック装置とを備えた自動販売機において、前記ロック装置は、前記断熱扉を前記商品収納庫の前面に押圧して係止する係止手段とともに前記断熱扉の上下方向の位置を規制する規制手段を備えたことを特徴とする自動販売機の断熱扉ロック装置。
【請求項２】
前記ロック装置は、Ｌ字状に折曲した棒状部材の一方のアーム部が他方のアーム部の中心軸線を中心にして垂直に回動するラッチ部と、前記一方のアーム部の先端部と当接し前記断熱扉を前記商品収納庫の前面に押圧して係止する当接面および前記断熱扉の押圧時に前記他方のアーム部の上下方向の位置を案内することにより前記断熱扉の上下位置を規制する斜面とを有するストライカ部とを備えたことを特徴とする請求項１に記載の自動販売機の断熱扉ロック装置。
【発明の詳細な説明】
【０００１】
【発明の属する技術分野】
本発明は、本体内に前面を開口した商品収納庫を区画形成し、前記商品収納庫の前面を閉塞する断熱扉と、前記断熱扉を前記商品収納庫の前面に係止するロック装置とを備えた自動販売機の断熱扉ロック装置に関するものである。
【０００２】
【従来の技術】
従来のこの種の断熱扉ロック装置を備える自動販売機としては、例えば特許文献１及び特許文献２に記載されるようなものが知られている。これらの自動販売機は、図７に示すように前面を開口した商品収納庫２を備えた本体１と、商品展示部、商品選択ボタン、商品取出部、金銭投入口（以上図示なし）等を有し本体１前面を開閉する外扉３と、商品収納庫２内に設けられた商品収納ラック８と、外扉３の内側に設けられ商品収納庫２の前面を閉塞する断熱扉４、５を備えている。また、図示しないが商品収納庫２内には庫内を冷却する冷却器、および庫内を加熱する加熱ヒータ等が備えられている。そして、商品収納ラック８に収納された商品は冷却または加温されて商品収納庫２内に保存され、顧客が所望する商品の代金を金銭投入口から投入して選択ボタンを操作すると、その商品が商品収納ラック８から払い出され、断熱扉４を介して外扉３の商品取出部に搬出される。ここで、断熱扉４は、商品収納庫２内に商品を効率良く冷却または加熱して保存するために商品収納庫２の前面に押圧されその前面を閉塞するとともに商品収納ラック８から払出された商品を外扉３に設けられた商品取出口に搬出するための開閉扉を有する商品搬出口１７を備えている。また、断熱扉４はロック装置２３によって商品収納庫２の前面に係止される。
【０００３】
【特許文献１】
特開平１０‐３３４３２８号公報
【特許文献２】
特開平１１‐３４６１号公報
【０００４】
【発明が解決しようとする課題】
ところで、この断熱扉４に設けられる商品搬出口１７は、商品収納庫２内に設けられた商品収納ラック８から払い出された商品を、断熱扉４を介してその外側の外扉３に設けられた商品取出部に搬出するために設けられるものであるから、商品収納庫２内の商品収納ラック８や外扉３の商品取出部に対する商品搬出口１７の位置がずれると、搬出途中の商品が商品搬出口１７等に引っ掛かり詰まりが生じる可能性が高くなる。すなわち、商品搬出口１７が配設される断熱扉３は、商品収納庫２内の商品収納ラック８や外扉３の商品取出部に対してその閉止位置を予め定められた位置に保持する必要がある。例えば、従来の断熱扉４においては、その自重や開閉動作等により上下方向の位置ずれが生じることが多いため、断熱扉４を商品収納庫２の前面に左右方向に開き戸式に軸支するヒンジ部（図示なし）を頑強に形成し、断熱扉４の下方に断熱扉４を支持する支持金具２２を配設して、断熱扉４の上下方向の閉止位置がずれないようにした。しかしながら、このような従来のものにおいては、ヒンジ部を頑強にするためコストが高くなる、あるいは支持金具２２の配設により部品点数が増えて製造コストが上がり、さらに断熱扉４を閉止するときに位置決め用に設けた支持金具２２の上に引き上げる操作等が必要なため開閉操作が容易でない問題があった。
【０００５】
本発明は、このような問題を解決するために成されたもので、商品収納庫の前面を閉塞する断熱扉を係止する断熱扉ロック装置を工夫し、例えば断熱扉を軸支するヒンジを簡易なものにし、あるいは支持金具を削除して製造コストを安くし、さらに断熱扉の開閉操作を容易にして操作性を向上させることを目的としたものである。
【０００６】
【課題を解決するための手段】
上記課題を解決するため、請求項１にかかる発明は、本体内に備えられ前面を開口した商品収納庫と、前記商品収納庫内の商品を外方に搬出する商品搬出口を有し前記商品収納庫の前面を閉塞する断熱扉と、前記断熱扉の一方側に備えられ前記本体に前記断熱扉を枢支するヒンジ部と、前記断熱扉の他方側に備えられ前記断熱扉を前記閉塞位置で係止するロック装置とを備えた自動販売機において、前記ロック装置は、前記断熱扉を前記商品収納庫の前面に押圧して係止する係止手段とともに前記断熱扉の上下方向の位置を規制する規制手段を備える。
【０００７】
この構成によれば、前記断熱扉を前記商品収納庫の前面を閉塞して係止するとき、その上下方向の位置を容易に規制することができるとともに、支持金具等の部品を不用とすることができる。
【０００８】
請求項２にかかる発明によれば、請求項１に記載の自動販売機において、前記ロック装置は、Ｌ字状に折曲した棒状部材の一方のアーム部が他方のアーム部の中心軸線を中心にして垂直に回動するラッチ部と、前記一方のアーム部の先端部と当接し前記断熱扉を前記商品収納庫の前面に押圧して係止する当接面および前記断熱扉の押圧時に前記他方のアーム部の上下方向の位置を案内することにより前記断熱扉の上下位置を規制する斜面とを有するストライカ部とを備えたことによって、前記ロック装置を簡易に構成することができる。
【０００９】
【発明の実施の形態】
本発明の実施形態について図を参照して説明する。尚、従来と同等または同様の機能を有する構成には同じ記号を付す。
【００１０】
図１は本発明の実施形態の自動販売機を示す正面図、図２は本発明の実施形態の自動販売機を示す側断面図、図３は本発明の実施形態の自動販売機において外扉を除いた状態を示す本体正面図、図４は本発明の実施形態の自動販売機を示す平断面図である。
【００１１】
図に示すように、この自動販売機は前面を開口する商品収納庫２を備えた本体１と、本体１前面を覆う外扉３と、商品収納庫２の前面の開口を閉塞する断熱扉４、５等から構成されるものである。
【００１２】
商品収納庫２は本体１内に断熱壁７よって画成され、内方に缶、ビン等の商品を収納する商品収納ラック８が設けられている。商品収納ラック８は上部に前方から商品を投入する商品投入口８ａが設けられ、下部に商品を下方から搬出する商品搬出装置８ｂが備えられている。また、商品収納ラック８の下方には、商品収納ラック８の下方から搬出された商品を商品収納庫２の前方に搬出する商品搬出シュート９が配設されている。
【００１３】
外扉３は前面に、商品展示部１１、商品選択ボタン１２、商品取出扉１３、金銭投入口１４、鍵部１５等を備え、背面の下部には商品搬出シュート９によって搬出された商品が断熱扉４を介して搬出される商品取出部１６、背面の上部には商品収納庫２前面の開口の上部を商品収納ラック８の商品投入口８ａと相対するように閉塞する断熱扉５が配設されている。また、外扉３は一端が本体１にヒンジ１０によって軸支され、左右方向に開き戸式で開閉される。
【００１４】
断熱扉４は、断熱扉５によって閉塞される商品収納庫２前面の開口の上部より下方の開口を覆うように設けられ、商品収納ラック８から搬出され商品搬出シュート９によって前方に搬出される商品が、商品収納庫２外方の外扉３に設けられた商品取出部１６に送出されるために通過する商品搬出口１７を備えている。また、断熱扉４は左側端をヒンジ部２１によって本体１に軸支され、商品収納庫２前面の所定の開口部分を開き戸式に閉塞する。また、断熱扉４の右側部にはラッチ（ラッチ部）２６とストライカ（ストライカ部）２８を備えるロック装置２５が設けら、断熱扉４は商品収納庫２前面に押圧されて係止される。
【００１５】
図５は、断熱扉４を係止するロック装置２５を示す斜視図である。図に示すようにロック装置２５を構成するラッチ２６は、丸棒状部材を折り曲げて形成され、中央部に直線状に延在する軸部（他方のアーム部）２６ａを設け、その一方端にＬ字状に折り曲げたアーム部（一方のアーム部）２６ｂを、他方端にアーム部２６ｂと略直交するように折り曲げられるた把持部２６ｃが設けられている。そして、ラッチ２６は軸部２６ａをＵ字状の保持金具２７に遊嵌されて、左右方向に移動自在に且つ軸部２６ａの中心軸線を中心にしてアーム部２６ｂが垂直に回動可能に、断熱扉４の前面に取り付けられている。また、ストライカ２８は、板状部材を箱状に折り曲げて形成され、中央部にラッチ２６を挿通する挿通孔２８ａを設け、手前前方に挿通孔２８ａに挿通されたラッチ２６のアーム部２６ｂの先端が当接する当接面２８ｂが設けられている。さらに、挿通孔２８ａの外周下部には、挿通されたラッチ２６のアーム部２６ｂの先端が当接面２８ｂに当接して軸部２６ａの中心軸線を中心に回動されることにより後方に移動する軸部２６ａに当接して、軸部２６ａを所定の上下方向の位置に案内する斜面２８ｃが形成されている。そして、ストライカ２８は、ラッチ２６に対応して本体１前部の内側部に止めネジ２９によって取り付けられる。
【００１６】
このように構成された自動販売機は、外扉３を開けると、外扉３の背面に設けられた上部断熱扉５が同時に開かれ、商品収納庫２前面の開口の上部から商品収納ラック８の商品投入口８ａに商品が直接に補充できる。これにより、機体内に商品の補充を行う場合の作業性を向上させることができる。
【００１７】
さらに、外扉３を開けた後、断熱扉４の右側部に設けられたロック装置２５のラッチ２６とストライカ２８の係合を解除して断熱扉４を開くと、商品収納庫２前面の開口を開放することができる。そして、この開放部分により、例えば商品収納ラック８の下部に配設された商品通路幅設定板（図示なし）等を操作して収納する商品に応じた設定変更を行い、商品収納ラック８の補修を行い、あるいは部品等の交換をすることができる。
【００１８】
ここで、断熱扉４を係止するロック装置２５の動作について説明する。図６はロック装置の動作を説明する側面図であり、（ａ）〜（ｃ）はそれぞれ断熱扉４を閉じる場合のラッチ２６の動作状態を順に示したものである。断熱扉４を閉じる場合は、先ず断熱扉４をヒンジ部２１を中心に回動して商品収納庫２前面に押し当て、ラッチ２６を右方向にスライドさせて図６（ａ）に示すようにストライカ２８の挿通孔２８ａにラッチ２６のアーム部２６ｂを挿通する。次に把持部２６ｃを下方に押し下げてラッチ２６を軸部２６ａの中心軸線を中心に回動する。このとき、ラッチ２６のアーム部２６ｂの先端は垂直に回動して図６（ｂ）に示すようにストライカ２８の当接面２８ｂに当接して後方に押圧される。これにより、挿通孔２８ａ外周下部の斜面２８ｃに当接するラッチ２６の軸部２６ａは、斜面２８ｃに沿って斜め上方に案内されながら後方に移動する。さらにラッチ２６が回動されると、図６（ｃ）のようにアーム部２６ｂの先端が当接面２８ｂと略垂直に当接し、把持部２８ｃが断熱扉４の表面と当接しラッチ２６の回動が規制される。このようにして、断熱扉４は商品収納庫２の前面に押圧され、その上下方向の位置を予め定められた位置に規制されて係止される。
【００１９】
すなわち、このようにロック装置２５を構成することにより、断熱扉４を商品収納庫２の前面を閉塞して係止するとき、その上下方向の位置を容易に規制することができるため、断熱扉４を枢支するヒンジ１０を簡易なものとすることができるとともに断熱扉４を下方から支持する支持金具等の部品を不要とすることが出きる。これにより、商品収納ラックから搬出される商品の商品搬出口１７での詰まりを防止するとともに、製造コストを安くし、さらに断熱扉の開閉の操作性を向上させることができる。
【００２０】
また、ロック装置２５は、上述のようにＬ字状に折曲した丸棒状部材のアーム部２６ｂが軸部２６ａの中心軸線を中心にして垂直に回動するラッチ部と、アーム部２６ｂの先端部と当接し断熱扉４を商品収納庫２の前面に押圧して係止する当接面２８ｂおよび断熱扉４の押圧時に軸部２６ａの上下方向の位置を案内することにより断熱扉４の上下位置を規制する斜面２８ｃとを有するストライカ部２８とを備えたことによって、ロック装置２５を簡易に構成することができるため、コストの安い、信頼性の高いロック装置２５を提供することができる。
【００２１】
【発明の効果】
以上説明したように請求項１に係る発明によれば、断熱扉を商品収納庫の前面を閉塞して係止するとき、その上下方向の位置を容易に規制することができるとともに、支持金具等の部品を不用とすることができることにより、商品収納ラックから搬出される商品の詰まりを防止するとともに、断熱扉開閉の操作性を向上させ、さらに製造コストを安くすることができる。
【００２２】
請求項２に係る発明によれば、ロック装置を簡易に構成することができることにより、コストの安い、信頼性の高いロック装置を提供することができる。
【図面の簡単な説明】
【図１】本発明の実施形態の自動販売機を示す正面図である。
【図２】本発明の実施形態の自動販売機を示す側断面図である。
【図３】本発明の実施形態の自動販売機において外扉を除いた状態を示す本体正面図である。
【図４】本発明の実施形態の自動販売機を示す平断面図である。
【図５】本発明の実施形態の断熱扉を係止するロック装置を示す斜視図である。
【図６】本発明の実施形態の断熱扉を係止するロック装置の動作を示す側面図で、（ａ）はストライカの挿通孔にラッチのアーム部を挿通した状態、（ｂ）はラッチのアーム部の先端がストライカの当接面に当接して後方に押圧され、ラッチの軸部がストライカの斜面に沿って斜め上方に案内される状態、（ｃ）はアーム部の先端が当接面と略垂直に当接し、把持部が断熱扉の表面と接しラッチの回動が規制された状態、をそれぞれ示す。
【図７】従来の実施形態の自動販売機の構成を示す斜視図である。
【符号の説明】
１　本体
２　商品収納庫
４　断熱扉
１７　商品搬出口
２１　ヒンジ
２５　ロック装置
２６　ラッチ（ラッチ部）
２６ａ　軸部（他方のアーム部）
２６ｂ　アーム部（一方のアーム部）
２８　ストライカ（ストライカ部）
２８ｂ　当接面
２８ｃ　斜面
【図１】
2004127041.tif 000003
【図２】
2004127041.tif 000004
【図３】
2004127041.tif 000005
【図４】
2004127041.tif 000006
【図５】
2004127041.tif 000007
【図６】
2004127041.tif 000008
【図７】
2004127041.tif 000009